(57)【要約】 【課題】パラソル型ヘアーキャッチャーを備える排水栓において、排水がオーバーフロー管からボウル内に逆流する現象を防止する構成を提供することを目的とする。【解決手段】本発明の排水栓５０は、毛髪やごみ等を引っ掛ける複数の捕集リブ５が頂点１０ａを中心にして下方向へ略円錐形状（パラソル型）に放射してなるヘアーチャッチャー５１を備えている。前記頂点１０ａの上流側には複数の捕集リブ５ａが略水平方向に放射してなる第２のヘアーキャッチャー５２を備える。第２のヘアーキャッチャー５２の構造は、排水開口部１３に装着される排水管１４の内径に合わせて円筒状の筒体９を設け、筒体９と軸２が挿通する筒軸１０ｂとの間に捕集リブ５ａを放射状に例えば６本形成される。捕集リブ５ａは軸２と直角に形成される。【選択図】  図１
2006266045.tif 000002
【特許請求の範囲】
【請求項１】
毛髪やごみ等を引っ掛ける複数の捕集リブが頂点を中心にして下方向へ略円錐形状（パラソル型）に放射してなるヘアーチャッチャーを備える排水栓であって、
前記頂点の上流側に複数の捕集リブが略水平方向に放射してなる第２のヘアーキャッチャーを備えることを特徴とする排水栓。
【発明の詳細な説明】
【技術分野】
【０００１】
本発明は、洗面化粧台等の排水口に装着して毛髪やごみを捕集するのに用いるヘアーチャッチャー付排水栓の構成に関し、詳しくは、パラソル型ヘアーチャッチャーを備える排水栓における排水の逆流防止の技術に関する。
【背景技術】
【０００２】
従来、パラソル型ヘアーチャッチャーを備える排水栓の構成に関しては、特許文献１の記載内容が知られている。この特許文献１によれば、図３に示すように、図示しない洗面ボウルの排水口に挿入される排水栓５０は、排水口を開閉するための円盤状のケレップ１の下端部にケレップ１と直角に軸２に備え、この軸２にヘアーキャッチャー５１を筒軸１０を介して摺動自在に挿通し、軸２の下端部に重り３が装着される構成である。
【０００３】
ヘアーキャッチャー５１は、円筒状の筒体８と、筒体８の上方に設けられて筒軸１０との間に放射状に形成される捕集リブ５とからなり、この放射状の捕集リブ５の上面６が筒軸１０から筒体８に向かって徐々に高さが低くなるように略円錐形状（パラソル型）に形成される。
【０００４】
この排水栓５０を使用することによって、排水口に毛髪やごみが流れこんでも排水は排水開口部７を通過するが、毛髪やごみがヘアーキャッチャー５１の捕集リブ５に引っ掛かって捕集される。
【０００５】
このとき、捕集リブ５がパラソル型に斜め下方に広がっているので毛髪やごみが引っ掛かっても捕集リブ５の下方に集まるので捕集リブ５間の排水開口部７はあまり塞がることがないので、毛髪やごみのキャッチ率を下げずに十分な排水能力を確保することができる。
【特許文献１】特許第３４６２６７１号公報
【発明の開示】
【発明が解決しようとする課題】
【０００６】
ここで、図４を用いて、前記排水栓５０を洗面ボウルに取付けた状態で排水するときのオーバーフロー管との関係を説明する。（図３に示したと同構成部分については、図面に同符号を付して重複した説明を省略する。また、図４に示すヘアーキャッチャー５１の筒体８ａは図３に示した筒体８よりも高さの低い筒体８ａで示される。）
図４に示すように、洗面ボウル１１の底部１２には排水開口部１３が形成され、この排水開口部１３に排水管１４が装着される。この排水管１４の途中には開口部１５が設けられ、この開口部１５に形成されるスリーブジョイント１８にオーバーフロー管１６の一端部１７を嵌合し、オーバーフロー管１６の他端部１９は洗面ボウル１１の上部側壁１１ａに形成されるオーバーフロー開口部２０にリーブジョイント２１を介して取付けられる。
【０００７】
そして、この排水管４内に上記排水栓５０（ヘアーキャッチャー５１）が挿入される。
【０００８】
ここで、図４に示される排水栓５０は、ケレップ１が持ち上げられて排水開口部１３が開放された状態である。
【０００９】
排水開口部１３の開放手順は、まず閉鎖状態の排水開口部１３からケレップ１を図示しない方法で持ち上げることで軸２が連動して持ち上がり、さらに軸２を筒軸１０の周りに少し回転させることで軸２が図示しない構造によって筒軸１０に保持されてケレップ１（軸２）が下降しないように保持される。排水開口部１３を閉鎖する場合は逆動作により開放される。
【００１０】
なお、ヘアーキャッチャー５１自身はストッパー２２によって支えられており、ケレップ１をさらに持ち上げると排水栓５０全体が排水開口部１３から離脱できる。
【００１１】
そして、上記のようにヘアーキャッチャー５１が円錐形状（パラソル型）をしているので、捕集リブ５に毛髪やごみが引っ掛かっても捕集リブ５の傾斜によって毛髪やごみが下方に集まる。
【００１２】
このとき、捕集リブ５間の排水開口部７は全面的には塞がらないが開口面積そのものは減少しているので、洗面ボウル１１に水を満水面まで満たした状態で排水栓５０を開栓すると、水流２５の一部が捕集リブ５の上面６に沿って流れ、空の状態のオーバーフロー管１６に勢いよく呼び込まれて逆流し、瞬間的に排水（水流２５）の一部がオーバーフロー開口部２０から洗面ボウル１１内に逆流することがあった。
【００１３】
「オーバーフロー管からの排水の逆流現象の説明」
本来、オーバーフロー管１６は洗面ボウル１１内の水面が最大水面を越えて床等に水が溢れ出すことを防止するの装置であって、オーバーフロー管１６のオーバーフロー開口部２０に達した水（満水面）をオーバーフロー水としてオーバーフロー開口部２０（オーバーフロー開口下端部２０ａ）から適宜排水するようになっている。
【００１４】
このため、洗面ボウル１１に水を満水面まで満たした状態ではオーバーフロー管１６の内部は適宜排水があっても概ね空の状態である。この状態で排水栓５０を開栓すると、上記のように水流２５の一部が捕集リブ５の上面６に沿って流れ、空の状態のオーバーフロー管１６に勢いよく呼び込まれて逆流するので、洗面ボウル１１とオーバーフロー管１６は所謂連通管（Ｕ字管）となる。
【００１５】
連通管において、双方の水面は静的には同じ高さになるが、水流２５が空の状態のオーバーフロー管１６に勢いよく呼び込まれて逆流する初期の動的な状態においては、双方の水面が互いに交互に上下に揺動する現象が現れる。
【００１６】
このため、瞬間的に排水（水流２５）の一部がオーバーフロー開口部２０から洗面ボウル１１内に逆流する現象が発生する。
【００１７】
そこで、本発明は上記問題点を解決して、パラソル型ヘアーチャッチャーを備える排水栓において、排水がオーバーフロー管から洗面ボウル内に逆流する現象を防止して衛生的な排水栓の構成を提供することを目的とする。
【課題を解決するための手段】
【００１８】
請求項１の発明は、毛髪やごみ等を引っ掛ける複数の捕集リブが頂点を中心にして下方向へ略円錐形状（パラソル型）に放射してなるヘアーチャッチャーを備える排水栓であって、前記頂点の上方に複数の捕集リブが略水平方向に放射してなる第２のヘアーキャッチャーを備えることを特徴としている。
【００１９】
この排水栓であれば、パラソル型のヘアーチャッチャーの上流側に第２のヘアーキャッチャーを備えるので、第２のヘアーキャッチャーによって排水を少しでも垂直方向にガイドすることができる。また、第２のヘアーキャッチャーによる水抵抗によって排水の流速を減少させることができる。
【発明の効果】
【００２０】
請求項１記載の発明によれば、パラソル型のヘアーチャッチャーの上流側の第２のヘアーキャッチャーによって排水が垂直方向にガイドされるので、排水を少しでも垂直方向に誘導できる。
【００２１】
ここで、上記のように、パラソル型のヘアーチャッチャーの傾斜によって毛髪やごみが下方に集まっているので、パラソル型のヘアーチャッチャーの上方部分（軸付近）は排水開口が塞がらない状態が保持されている。
【００２２】
そのため、パラソル型のヘアーチャッチャーの排水開口があまり塞がれない上方部分（軸心付近）に排水を少しでも誘導できるので排水効率が向上し、排水がオーバーフロー管からボウル内に逆流する現象を防止することができる。
【００２３】
さらに、第２のヘアーキャッチャーによる水抵抗によって排水の流速を僅かであっても減少させることができるので流勢が弱まり、オーバーフロー管に呼び込まれて逆流する排水の流勢を弱めることができるので、排水がオーバーフロー管からボウル内に戻ることを防止することができる。
【発明を実施するための最良の形態】
【００２４】
＜本発明の第１の実施形態＞
以下に、本発明の第１の実施形態を図１に基づいて説明する。なお、図３、図４に示した排水栓と同等部分については、適宜に同一符号を付して説明する。
【００２５】
＜排水栓の構成＞  
図１に示すように、本発明の排水栓５０は、毛髪やごみ等を引っ掛ける複数の捕集リブ５が頂点１０ａを中心にして下方向へ略円錐形状（パラソル型）に放射してなるヘアーチャッチャー５１を備えている。
【００２６】
前記頂点１０ａの上流側には複数の捕集リブ５ａが略水平方向に放射してなる第２のヘアーキャッチャー５２を備える。
【００２７】
第２のヘアーキャッチャー５２の構造は、排水開口部１３に装着される排水管１４の内径に合わせて円筒状の筒体（リング）９を設け、軸２が挿通される筒軸１０ｂから筒体９に至って捕集リブ５ａが放射状に例えば６本形成される。このとき、捕集リブ５ａは軸２と直角に形成される。
【００２８】
＜排水栓の作用＞
パラソル型のヘアーチャッチャーの上流側の第２のヘアーキャッチャーによって排水が垂直方向にガイドされるので、排水を少しでも垂直方向に誘導できる。
【００２９】
そのため、第２のヘアーキャッチャーによって排水を垂直方向に誘導することができるので、パラソル型のヘアーチャッチャーの排水開口があまり塞がれない上方部分（軸心付近）に少しでも誘導できるので排水効率が向上し、排水がオーバーフロー管からボウル内に逆流する現象を防止することができる。
【００３０】
さらに、第２のヘアーキャッチャーによる水抵抗によって排水の流速を減少させることができるので流勢が弱まり、排水が空の状態のオーバーフロー管に呼び込まれて逆流する流勢を弱めることができるので、排水がオーバーフロー管からボウル内に戻ることを防止することができる。
【００３１】
そして、一般的な平板型のヘアーキャッチャー２枚によるダブル仕様に比べて、平板型とパラソル型のヘアーキャッチャーとのコンビネーションなので毛髪等の収集力に優れるとともに排水性も優れている。
【００３２】
＜本発明の第２の実施形態＞
以下に、本発明の第２の実施形態を図２に基づいて説明する。なお、図３、図４に示した排水栓と同構成部分については、図面に同符号を付して重複した説明を省略する。）
図２に示すように、排水栓５０のヘアーキャッチャー２６は、毛髪やごみ等を引っ掛ける複数の捕集リブ５が頂点１０ａを中心にして下方向へ略円錐形状（パラソル型）に放射してなるとともに、円筒状の網筒２７で閉囲され、この網筒２７の上端部に設けられるリング２８とヘアーチャッチャー５１下端部の筒体（リング）８ａとを連結するリブ２９が円周上に４組設けられる。
【００３３】
前記頂点１０ａの上流側には複数の捕集リブ５ａが略水平方向に放射してなる第２のヘアーキャッチャー５２を備える。
【００３４】
この構成によれば、本発明の第１の実施形態で得られる排水栓と同じ作用、効果以外に、パラソル型の捕集リブ５と円筒状の網筒２７との領域に毛髪やごみをより多く確実に集めることができる。
【００３５】
以上、本発明の実施形態を図面に基づいて説明したが、上記の実施例はいずれも本発明の一例を示したものであり、本発明はこれらに限定されるべきでないということはいうまでもない。
【００３６】
例えば、洗面化粧台の洗面ボウルの排水口にヘアーキャッチャーを設ける例について説明したが、浴槽の排水口や台所の排水口でも同様に実施できる。
【図面の簡単な説明】
【００３７】
【図１】本発明の第１の実施形態における、（ａ）は排水栓が排水口に取付けられた状態を示す側面断面図、（ｂ）は図１（ａ）のＡ−Ａ矢視図である。
【図２】本発明の第２の実施形態における、（ａ）は排水栓の側面断面図、（ｂ）は図１（ａ）のＢ−Ｂ矢視図である。
【図３】従来例における、排水栓の斜視図である。
【図４】従来例における、排水栓が排水口に取付けられた状態を示す側面断面図である。
【符号の説明】
【００３８】
１  ケレップ
２  軸
５  捕集リブ  
５ａ  捕集リブ
８ａ  筒体
１０ａ  頂点
１０ｂ  筒軸
１３  排水開口部
１４  排水管
５０  排水栓
５１  ヘアーチャッチャー
５２  ヘアーチャッチャー
【図１】
2006266045.tif 000003
【図２】
2006266045.tif 000004
【図３】
2006266045.tif 000005
【図４】
2006266045.tif 000006